(57)【要約】【課題】  サイマル放送されるディジタル放送とアナログ放送を受信状態に応じて切れ目無く切替える。【解決手段】  制御部５が、ディジタル放送受信部１の内部処理時間Ｔ１をディジタルテレビ放送の伝送方式に基づいて判定し、映像遅延部６と音声遅延部７の遅延時間をアナログ放送受信部２の内部処理時間Ｔ２との時間差（Ｔ１−Ｔ２）に設定する。受信状態検出部３，４でディジタルテレビ放送とアナログテレビ放送の受信状態を検出し、ディジタル放送受信部１の受信再生出力ＶＤ１，ＡＵ１を切替え部８を介して出力中に、制御部５が受信状態検出部３，４の検出結果に基づいて受信状態の悪化を判断すると、切替え部８を制御して、映像遅延部６と音声遅延部７から出力されるアナログ放送受信部２の受信再生出力ＶＤ２，ＡＵ２に切替えて切れ目無く出力させる。【選択図】  図１
2006270825.tif 000002
【特許請求の範囲】
【請求項１】
異なる放送方式でサイマル放送されるディジタル放送とアナログ放送を受信するディジタル放送受信部とアナログ放送受信部を有する受信機であって、
前記アナログ放送受信部の受信再生出力を遅延させて出力する遅延手段と、
前記ディジタル放送受信部の受信再生出力又は、前記遅延手段から出力される前記アナログ放送受信部の受信再生出力を選択的に切替えて出力する切替え手段と、
前記ディジタル放送受信部が受信する前記ディジタル放送の受信状態を検出する受信状態検出手段と、
前記ディジタル放送の伝送方式に依る前記ディジタル放送受信部の内部処理時間と前記アナログ放送受信部の内部処理時間との時間差に相当する遅延時間を前記遅延手段に設定すると共に、前記ディジタル放送受信部の受信再生出力の出力中に、前記受信状態検出手段の検出結果に基づいて前記ディジタル放送の受信状態の悪化を判断すると、前記切替え手段を切替え制御して、前記遅延手段から出力される前記アナログ放送受信部の受信再生出力に切替えて出力させる制御手段と、
を有することを特徴とする受信機。
【請求項２】
前記アナログ放送受信部が受信する前記アナログ放送の受信状態を検出する他の受信状態検出手段を更に備え、
前記制御手段は、前記ディジタル放送の受信状態の悪化を判断すると、前記他の受信状態検出手段の検出結果に基づいて前記アナログ放送の受信状態の良否を判断し、良好と判断すると前記切替え手段を切替え制御することを特徴とする請求項１に記載の受信機。
【請求項３】
前記制御手段は、前記切替え手段を切替え制御して、前記遅延手段から出力される前記アナログ放送受信部の受信再生出力に切替えて出力させた後、前記受信状態検出手段の検出結果に基づいて前記ディジタル放送の受信状態が良好と判断すると、前記切替え手段を切替え制御して、前記ディジタル放送受信部の受信再生出力に切替えて出力させることを特徴とする請求項１又は２に記載の受信機。
【請求項４】
前記受信状態検出手段は、受信感度を検出することを特徴とする請求項１〜３の何れか１項に記載の受信機。
【請求項５】
前記他の受信状態検出手段は、信号対ノイズの比を検出することを特徴とする請求項２に記載の受信機。
【請求項６】
前記制御手段は、ディジタル放送に含めて送られてくる伝送制御信号内の伝送方式の情報に基づいて前記ディジタル放送受信部の内部処理時間を判定することを特徴とする請求項１〜５の何れか１項に記載の受信機。
【請求項７】
前記遅延手段から出力される前記アナログ放送受信部の受信再生出力は、アナログ放送の音声の信号であることを特徴とする請求項１〜６の何れか１項に記載の受信機。
【請求項８】
前記制御手段は、前記切替え手段を切替え制御して、前記遅延手段から出力される前記アナログ放送受信部の受信再生出力に切替えて出力させると、警報表示のためのデータを出力することを特徴とする請求項１〜７の何れか１項に記載の受信機。
【請求項９】
前記制御手段は、前記切替え手段を切替え制御して、前記ディジタル放送受信部の受信再生出力に切替えて出力させると、ディジタル放送に切替わったことを示すデータを出力することを特徴とする請求項３に記載の受信機。
【請求項１０】
異なる放送方式でサイマル放送されるディジタル放送とアナログ放送を受信するディジタル放送受信部とアナログ放送受信部を有する受信機のディジタル放送受信方法であって、
前記アナログ放送受信部の受信再生出力を遅延させて出力する遅延工程と、
前記ディジタル放送受信部の受信再生出力又は、前記遅延工程で遅延される前記アナログ放送受信部の受信再生出力を選択的に切替えて出力する切替え工程と、
前記ディジタル放送受信部が受信する前記ディジタル放送の受信状態を検出する受信状態検出工程と、
前記遅延工程における遅延時間を、前記ディジタル放送の伝送方式に依る前記ディジタル放送受信部の内部処理時間と前記アナログ放送受信部の内部処理時間との時間差に設定すると共に、前記ディジタル放送受信部の受信再生出力の出力中に、前記受信状態検出手段の検出結果に基づいて前記ディジタル放送の受信状態の悪化を判断すると、前記切替え工程を切替え制御して、前記遅延工程で遅延される前記アナログ放送受信部の受信再生出力に切替えて出力させる制御工程と、
を有することを特徴とするディジタル放送受信方法。
【請求項１１】
前記アナログ放送受信部が受信する前記アナログ放送の受信状態を検出する他の受信状態検出工程を更に備え、
前記制御工程は、前記ディジタル放送の受信状態の悪化を判断すると、前記他の受信状態検出工程の検出結果に基づいて前記アナログ放送の受信状態の良否を判断し、良好と判断すると前記切替え工程を切替え制御することを特徴とする請求項１０に記載のディジタル放送受信方法。
【請求項１２】
前記制御工程は、前記切替え工程を切替え制御して、前記遅延工程で遅延される前記アナログ放送受信部の受信再生出力に切替えて出力させた後、前記受信状態検出工程の検出結果に基づいて前記ディジタル放送の受信状態が良好と判断すると、前記切替え工程を切替え制御して、前記ディジタル放送受信部の受信再生出力に切替えて出力させることを特徴とする請求項１０又は１１に記載のディジタル放送受信方法。
【発明の詳細な説明】
【技術分野】
【０００１】
本発明は、地上ディジタル放送を受信する受信機とディジタル放送受信方法に関する。
【背景技術】
【０００２】
近年、地上放送のディジタル化が進められ、新たな放送メデアとして地上ディジタル放送が開始されている。
【０００３】
地上ディジタル放送では、多重化方式としてＯＦＤＭ（Orthogonal Frequency Division Multiplexing：直交周波数分割多重）方式、情報源符号化方式及び伝送制御信号方式として、ＭＰＥＧ２−ＴＳ及びＴＭＣＣ（Transmission and Multiplexing Configuration Control）が採用されている。これにより、伝送帯域幅を複数セグメントに分けて放送を行う多チャンネル化、テレビ放送等の高画質化及び高機能化、放送のみならず様々なデータを伝送するマルチメディア化、固定受信向けと移動受信向けの番組を組み合わせた放送サービス等を行うことを可能にしている。
【０００４】
また、非特許文献１及び非特許文献２に公開されているように、既存の地上アナログテレビ放送から地上ディジタルテレビ放送への移行が完了するまでの移行期間では、同じ番組のアナログテレビ放送とディジタルテレビ放送とを夫々別個の伝送帯域に割り当てて同じ時間帯に放送するサイマル放送（simultaneous broadcast）が行われ、ユーザー等がディジタルテレビ放送を受信することが可能な受信機を購入等するまでの間、既存のアナログテレビ受信機でアナログテレビ放送を視聴することができるようになっている。
【０００５】
また、移行期間では、所定の移行計画（アナログ周波数変更対策）に従ってアナログテレビ放送の伝送帯域を変更することにより、ディジタル放送用の伝送帯域を確保することとしている。
【０００６】
【非特許文献１】総務大臣指定 指定周波数変更対策機関 ＡＲＩＢ  社団法人電波産業会「http://www.arib.or.jp/anahen/index.html」（アナログ周波数変更対策情報）
【非特許文献２】総務大臣指定 指定周波数変更対策機関 社団法人電波産業会「http://www.arib.or.jp/anahen/skj/1_skj.html#top」（地上ディジタルテレビ・アナログ周波数変更対策情報  アナログ周波数変更のスケジュール）
【発明の開示】
【発明が解決しようとする課題】
【０００７】
ところで、上述したように地上ディジタル放送への移行が完了するまでの移行期間では、移行計画に従ってサイマル放送が行われることから、サイマル放送を受信することが可能な受信機によってアナログテレビ放送とディジタルテレビ放送を選択して視聴等することが可能である。
【０００８】
このため例えば、サイマル放送を受信することが可能な車載型や携帯型等の受信機では、移動中に生じる受信状態の悪化等の変化に応じて、ユーザー等がより良好な映像品質や音声品質の得られるアナログテレビ放送又はディジタルテレビ放送に切替えて、同時間帯に放送されている同じ番組を継続して視聴等することが可能である。
【０００９】
ところが、受信状態の悪化等の変化に応じて、ユーザー等が受信中のディジタルテレビ放送から、同番組を放送しているアナログテレビ放送の選局チャンネルを探索して手動で切替えたり、また、受信中のアナログテレビ放送から、より良好な映像品質や音声品質の得られる同番組を放送しているディジタルテレビ放送の選局チャンネルを探索して手動で切替えたのでは、良好な操作性が得られない等の問題を生じる。
【００１０】
また、移行計画（アナログ周波数変更対策）に従ってアナログテレビ放送の伝送帯域が変更された場合に、受信状態の悪化等の変化に応じて、ユーザー等がディジタルテレビ放送から変更後のアナログテレビ放送を探索して手動でチャンネル切替えを行うようでは、良好な操作性が得られない等の問題を生じる。
【００１１】
また、ディジタルテレビ放送とアナログテレビ放送とでは、いわゆる伝送方式が異なるため、受信機がディジタルテレビ放送を受信中に、ユーザー等の指示に従ってアナログテレビ放送の受信に切替える等の切替え処理を行うと、映像や音声を不連続に再生してしまい、連続性を有する映像や音声を提供できずにユーザー等に違和感を与える等の問題を生じる。
【００１２】
本発明は、上記例示したような問題に鑑みてなされたものであり、サイマル放送によって同時放送される同じ番組をユーザー等が継続受信するために手動でチャンネル切替え等を行うことなく、自動的にチャンネル切替え等を行って、連続性を有する映像や音声を提供することを可能にする受信機及びディジタル放送受信方法を提供することを目的とするものである。
【課題を解決するための手段】
【００１３】
請求項１に記載の発明は、異なる放送方式でサイマル放送されるディジタル放送とアナログ放送を受信するディジタル放送受信部とアナログ放送受信部を有する受信機であって、前記アナログ放送受信部の受信再生出力を遅延させて出力する遅延手段と、前記ディジタル放送受信部の受信再生出力又は、前記遅延手段から出力される前記アナログ放送受信部の受信再生出力を選択的に切替えて出力する切替え手段と、前記ディジタル放送受信部が受信する前記ディジタル放送の受信状態を検出する受信状態検出手段と、前記ディジタル放送の伝送方式に依る前記ディジタル放送受信部の内部処理時間と前記アナログ放送受信部の内部処理時間との時間差に相当する遅延時間を前記遅延手段に設定すると共に、前記ディジタル放送受信部の受信再生出力の出力中に、前記受信状態検出手段の検出結果に基づいて前記ディジタル放送の受信状態の悪化を判断すると、前記切替え手段を切替え制御して、前記遅延手段から出力される前記アナログ放送受信部の受信再生出力に切替えて出力させる制御手段と、を有することを特徴とする。
【００１４】
請求項２に記載の発明は、請求項１に記載の受信機において、前記アナログ放送受信部が受信する前記アナログ放送の受信状態を検出する他の受信状態検出手段を更に備え、前記制御手段は、前記ディジタル放送の受信状態の悪化を判断すると、前記他の受信状態検出手段の検出結果に基づいて前記アナログ放送の受信状態の良否を判断し、良好と判断すると前記切替え手段を切替え制御することを特徴とする。
【００１５】
請求項３に記載の発明は、請求項１又は請求項２に記載の受信機において、前記制御手段は、前記切替え手段を切替え制御して、前記遅延手段から出力される前記アナログ放送受信部の受信再生出力に切替えて出力させた後、前記受信状態検出手段の検出結果に基づいて前記ディジタル放送の受信状態が良好と判断すると、前記切替え手段を切替え制御して、前記ディジタル放送受信部の受信再生出力に切替えて出力させることを特徴とする。
【発明を実施するための最良の形態】
【００１６】
本発明の実施の形態に係るディジタル放送機について、図１を参照して説明する。図１は、本実施形態の受信機の基本構成を表したブロック図である。
【００１７】
図１において、この受信機は、放送方式の異なるサイマル放送を受信することが可能であり、地上放送受信アンテナＡＮＴが接続されるディジタル放送受信部１及びアナログ放送受信部２と、受信状態検出部３，４、制御部５、映像遅延部６、音声遅延部７、切替え部８を備えて構成されている。
【００１８】
ディジタル放送受信部１は、ディジタルテレビ放送を受信する。そして、受信アンテナＡＮＴに生じるＲＦ（Radio Frequency）受信信号と、制御部５からの選局制御信号ＣＨ１に従って内部発生する同調周波数の局発信号とを混合することによる周波数変換処理を行うことによって中間周波信号を生成し、その中間周波信号を直交検波することで生じるベースバンド信号をＯＦＤＭ復調することでトランスポートストリーム（ＴＳ：MPEG-2 Transport Stream）を再生し、更に、トランスポートストリームに含まれている符号化された映像データをディジタル映像信号ＶＤ1に映像デコードして出力し、更に、トランスポートストリームに含まれている符号化された音声データをディジタル音声信号ＡＵ1に音声デコードして出力する。更に、トランスポートストリームに含まれているセクションと呼ばれる制御及びサービス情報のデータ（以下「セクションデータ」と称する）ＳＥＣを分離して制御部５に供給する。
【００１９】
更に、ディジタル放送受信部１は、上述の直交検波したベースバンド信号Ｉ，Ｑを受信状態検出部３に供給すると共に、上述のＯＦＤＭ復調の際に再生するＴＭＣＣ信号、すなわち伝送方式やフレーム構成等の伝送制御情報を有するＴＭＣＣ信号Ｓtmccを制御部５に供給する。
【００２０】
受信状態検出部３は、ベースバンド信号Ｉ，Ｑを入力し、受信感度を表すＣ／Ｎ（Carrier/Noise）値を検出して、その検出信号Ｓcnを制御部５に供給する。
【００２１】
アナログ放送受信部２は、アナログテレビ放送を受信する。そして、受信アンテナＡＮＴに生じるＲＦ受信信号と、制御部５からの選局制御信号ＣＨ２に従って内部発生する同調周波数の局発信号とを混合することによる周波数変換処理を行うことによって中間周波信号を生成し、その中間周波信号を映像検波（ＡＭ検波）と音声検波（ＦＭ検波）することでコンポジットビデオ信号と音声ベースバンド信号を生成し、更にコンポジットビデオ信号に対して輝度及び色信号処理等を施すことで映像信号を再生すると共に、音声ベースバンド信号に対して音声多重復調処理等を施すことで音声信号を再生する。更に、映像信号と音声信号をディジタル映像信号Ｖｄとディジタル音声信号Ａｕにアナログディジタル変換して、映像遅延部６と音声遅延部７に供給する。
【００２２】
映像遅延部６は、制御部５からの遅延時間設定信号ＣＤＬＹに従って遅延時間が可変設定される可変遅延回路や可変遅延素子等で形成され、入力されるディジタル映像信号Ｖｄを遅延時間分遅延させて、ディジタル映像信号ＶＤ２として切替え部８に供給する。
【００２３】
音声遅延部７は、制御部５からの遅延時間設定信号ＣＤＬＹに従って遅延時間が可変設定される可変遅延回路や可変遅延素子等で形成され、入力されるディジタル音声信号Ａｕを遅延時間分遅延させて、ディジタル音声信号ＡＵ２として切替え部８に供給する。
【００２４】
受信状態検出部４は、映像検波された上述のコンポジットビデオ信号ＶIFに混入しているノイズを検出し、所定のゲート期間（予め決められた単位時間）内に現れるノイズの数を計数することでノイズの発生密度を検出し、その検出した発生密度を映像信号成分に対するノイズ成分との比、すなわちＳ／Ｎ（Signal／Noise）比として、その検出信号Ｓsnを制御部５に供給する。
【００２５】
切替え部８は、制御部５からの切替え制御信号ＣＳＷに従って切替え動作するスイッチ素子等で形成されている。そして、ディジタル放送受信部１側に切替えられると、ディジタル放送受信部１の受信再生出力であるディジタル放送番組のディジタル映像信号ＶＤ１とディジタル音声信号ＡＵ１を入力し、出力映像信号ＶＤoutと出力音声信号ＡＵoutとして出力する。また、アナログ放送受信部２側に切替えられると、アナログ放送受信部２の受信再生出力であるアナログ放送番組のディジタル映像信号ＶＤ１とディジタル音声信号ＡＵ１を入力し、出力映像信号ＶＤoutと出力音声信号ＡＵoutとして出力する。
【００２６】
制御部５は、選局制御信号ＣＨ１，ＣＨ２によってディジタル放送受信部１とアナログ放送受信部２を選局制御する他、受信状態検出部３，４から供給される検出信号Ｓcn，Ｓsnに基づいてディジタル放送受信部１とアナログ放送受信部２の受信状態の良否を判断し、より良好な受信状態の得られる出力映像信号ＶＤoutと出力音声信号ＡＵoutを出力させるべく、切替え部８を切替え制御する。
【００２７】
更に、制御部５は、ＴＭＣＣ信号Ｓtmccに含まれている伝送方式の情報を用いてディジタル放送受信部１の内部処理時間Ｔ１を判定し、アナログ放送受信部２の内部処理時間Ｔ２との時間差（Ｔ１−Ｔ２）を演算して、遅延時間制御信号ＣＤＬＹによって、映像遅延部６と音声遅延部７の遅延時間をその時間差（Ｔ１−Ｔ２）に設定する。かかる遅延時間の設定処理を行うことで、ディジタル放送受信部１からディジタル映像信号ＶＤ１とディジタル音声信号ＡＵ１が切替え部８に供給されるタイミングと、アナログ放送受信部２から映像遅延部６と音声遅延部７を介してディジタル映像信号ＶＤ２とディジタル音声信号ＡＵ２が切替え部８に供給されるタイミングとを一致させ、実質的にディジタル放送受信部１の内部処理時間とアナログ放送受信部２の内部処理時間を合わせるようにしている。
【００２８】
更に、制御部５は、セクションデータＳＥＣから放送局がサービス情報として提供している番組配列情報（ＳＩ：Service Information）を取得し、サイマル放送を含む地上ディジタル放送網の全放送局で放送される番組と、各番組の開始及び終了時刻と、各放送局の放送チャンネル、サイマル放送の関連付け情報とを互いに関連付けたデータテーブルＴＡＢを作成して記憶する。
【００２９】
更に、制御部５は、ユーザー等から所望のディジタルテレビ放送が選局操作されると、データテーブルＴＡＢを検索して、そのディジタルテレビ放送の放送チャンネルに関連付けられている、同一番組を放送しているサイマル放送のアナログテレビ放送の放送チャンネルをデータテーブルＴＡＢから検索する。そして、選局制御信号ＣＨ１によって、ユーザー等から入力された放送チャンネルをディジタル放送受信部１に同調受信させ、同時に、選局制御信号ＣＨ２によって、検索した放送チャンネルをアナログ放送受信部２にて同調受信させることで、同じ時間帯に同一番組を放送しているサイマル放送のディジタルテレビ放送とアナログテレビ放送とを並列的に受信させる。
【００３０】
次に、かかる構成を有する受信機の動作について説明する。 
ユーザー等からサイマル放送のディジタル放送の放送チャンネルが選局入力されると、制御部５が記憶しているデータテーブルＴＡＢを検索して、その選局入力されたディジタル放送の放送チャンネルに関連付けられているサイマル放送のアナログテレビ放送の放送チャンネルを取得する。そして、選局制御信号ＣＨ１，ＣＨ２によって、ディジタル放送受信部１とアナログ放送受信部２を選局制御することにより、上述の選局入力されたディジタルテレビ放送と、検索して取得したアナログテレビ放送を並列的に受信させる。すなわち、サイマル放送である一方のディジタルテレビ放送をディジタル放送受信部１で受信させ、他方のアナログテレビ放送をアナログ放送受信部２で受信させる。更に、切替え制御信号ＣＳＷによって、切替え部８をディジタル放送受信部１側へ切り替えさせることで、ディジタル放送受信部１から出力されるディジタル映像信号ＶＤ１とディジタル音声信号ＡＵ１を出力映像信号ＶＤoutと出力音声信号ＡＵoutとして出力させ、ユーザー等に対してディジタルテレビ放送の映像と音声を視聴等できるようにする。
【００３１】
次に、制御部５は、受信状態検出部３の検出信号Ｓcnが受信状態の悪化を示す値となっているか判断する。そして、ディジタルテレビ放送の受信状態が悪化していると判断すると、受信状態検出部４の検出信号Ｓsnに基づいて、アナログテレビ放送の受信状態も悪化しているか否か判断する。すなわち、所定の条件に基づいてディジタルテレビ放送の受信状態が悪化したと判断しただけでは、アナログテレビ放送への切替えを行わず、アナログテレビ放送へ切替えた場合に再生映像と再生音声の品質が視聴等に耐え得るか否かを判断すべく、検出信号Ｓsnを更に厳しい条件の下で調べることによりアナログテレビ放送の受信状態の良否を判断する。例えば、アナログテレビ放送の伝送帯域に大電力のノイズが混入した場合等を想定した厳しい条件の下で検出信号Ｓsnを調べることで、受信状態の良否を判断する。
【００３２】
そして、検出信号Ｓsnを厳しい条件の下で調べた結果、受信状態が悪化していると判断すると、ディジタルテレビ放送を継続させつつ、検出信号Ｓcnに基づくディジタルテレビ放送の受信状態の悪化の有無の判断と、検出信号Ｓsnに基づくより厳しい条件でのアナログテレビ放送の受信状態の悪化の有無の判断とを継続的に繰り返す。
【００３３】
一方、制御部５は、上述の厳しい条件の下で検出信号Ｓsnを調べた結果、アナログテレビ放送の受信状態が良好であると判断すると、ＴＭＣＣ信号Ｓtmcc内の伝送方式に関する情報を用いて、受信機１の内部処理時間Ｔ１を判定し、遅延時間設定信号ＣＤＬＹによって映像遅延部６と音声遅延部７の遅延時間を、その内部処理時間Ｔ１とアナログ放送受信部２の内部処理時間Ｔ２との差の時間（Ｔ１−Ｔ２）に設定し、更に、切替え制御信号ＣＳＷによって切替え部８をアナログ放送受信部２側に切替えさせる。
【００３４】
これにより、アナログテレビ放送から再生されるディジタル映像信号ＶＤ２とディジタル音声信号ＡＵ２が切替え部８を介して出力映像信号ＶＤoutと出力音声信号ＡＵoutとして出力され、ユーザー等は受信状態の悪化したディジタルテレビ放送に代えて自動的に同一番組を継続して視聴等することができる。
【００３５】
更に、切替え部８がアナログ放送受信部８側に切替わる際、予め映像遅延部６と音声遅延部７の遅延時間が可変設定されて、実質的にディジタル放送受信部１とアナログ放送受信部２の内部遅延時間が合わせられるので、同一番組を切れ目のない連続した映像及び音声として再生させることができる。
【００３６】
次に、アナログテレビ放送への切替えが行われると、制御部５が、継続的に受信状態検出部３の検出信号Ｓcnを監視し、ディジタルテレビ放送の受信状態が良好となったか否か判断する。そして、その受信状態が良好となったと判断すると、切替え制御信号ＣＳＷによって切替え部８をディジタル放送受信部１側へ切り替えさせ、ディジタル映像信号ＶＤ１とディジタル音声信号ＡＵ１を切替え部８を介して出力映像信号ＶＤoutと出力音声信号ＡＵoutとして出力させ、同一番組を連続的且つ自動的にディジタルテレビ放送によって視聴等できるようにする。
【００３７】
以上に説明したように、本実施形態の受信機によれば、サイマル放送のディジタルテレビ放送を受信中に、その受信状態が悪化すると、同一番組をサイマル放送しているアナログテレビ放送に切替える際に、予め映像遅延部６と音声遅延部７の遅延時間を可変設定して、ディジタル放送受信部１とアナログ放送受信部２の内部処理時間を実質的に合わせるので、同一番組を時間ズレを生じさせることなく且つ切れ目なく視聴等させることができる。このため、ユーザー等に違和感を与えない等の効果が得られる。
【００３８】
更に、サイマル放送であるディジタルテレビ放送とアナログテレビ放送の切替えを、良好な受信状態の得られる方に自動切り替えするので、ユーザー等に対して良好な操作性を提供することができる。
【００３９】
なお、以上に説明した実施形態では、受信状態の悪化に伴ってディジタルテレビ放送からアナログテレビ放送へ切替えると、アナログ放送受信機２側で再生されるディジタル映像信号ＶＤ２とディジタル音声信号ＡＵ２を共に出力することで、同一番組の映像と音声を共に再生させることを可能にしているが、ディジタル音声信号ＶＤ２だけを出力して音声だけを再生できるようにしてもよい。すなわち、番組の音声はＦＭ波として伝送されてくることから、受信状態が悪化した場合には、ユーザー等に品質低下の少ない音声だけを提供すべく、切替え部８を介してディジタル音声信号ＡＵ２だけを出力してもよい。
【００４０】
また、本実施形態では、制御部５が受信状態検出部３の検出信号Ｓcnに基づいて受信状態の悪化を判断すると、更にアナログテレビ放送の受信状態の良否を判断し、その良否判断の結果、良好と判断すると、切替え部８を切替え制御して、アナログ放送受信部２の受信再生出力であるディジタル映像信号ＶＤ２とディジタル音声信号ＡＵ２に切り替えて出力させることとしているが、別の構成として、制御部５が検出信号Ｓcnに基づいて受信状態の悪化を判断すると、アナログテレビ放送の受信状態の良否を判断する処理を行うことなく、切替え部８を切替え制御して、アナログ放送受信部２の受信再生出力であるディジタル映像信号ＶＤ２とディジタル音声信号ＡＵ２に切替えて出力させるようにしてもよい。かかる構成とする場合には、受信状態検出部４を省略することができる。
【実施例】
【００４１】
次に、より具体的な実施例について図２及び図３を参照して説明する。図２（ａ）は、本実施例の受信機の構成を表したブロック図であり、図１と同一又は相当する部分を同一符号で示している。図２（ｂ）は、崖効果を説明するための特性図である。図３は、動作を説明するためのフローチャートである。
【００４２】
図２（ａ）において、この受信機は、ディジタルテレビ放送を受信するディジタル放送受信部１と、アナログテレビ放送を受信するアナログ放送受信部２と、受信状態検出部３，４と、制御部５、映像遅延部６、音声遅延部７、切替え部８、記憶部９、操作部１０、ＯＳＤ（On Screen Display）部１１、ＯＳＤデータ混合部１２，１３を備えて構成されている。
【００４３】
ディジタル放送受信部１は、地上放送受信アンテナＡＮＴが接続されるフロントエンド部１ａと、ＯＦＤＭ復調部１ｂと、デマックス（ＤＥＭＡＸ）と呼ばれる分離回路と映像デコーダ及び音声デコーダを有する音声／映像処理部１ｃと、を備えて構成されている。
【００４４】
フロントエンド部１ａは、受信アンテナＡＮＴに生じるＲＦ受信信号と、制御部５からの選局制御信号ＣＨ１に従って内部発生する同調周波数の局発信号とを混合することによる周波数変換処理を行うことによって、中間周波信号（ＩＦ信号）を生成し、更に、その中間周波信号を帯域制限して増幅等の処理を施すことで、希望信号としての中間周波信号ＩＦ１を出力する。
【００４５】
ＯＦＤＭ復調部１ｂは、中間周波信号ＩＦ１を直交検波することでベースバンド信号を生成し、更に、そのベースバンド信号を復調することによってトランスポートストリームＴＳを再生して、音声／映像処理部１ｃへ出力する。
【００４６】
すなわち、ＯＦＤＭ復調部１ｂは、中間周波信号ＩＦ１に対して、直交検波と、同期受信処理、ＦＦＴ処理、並列／直列変換処理、符号判定処理を行う他、ビタビ復号処理とデインターリーブ処理とエネルギー逆拡散処理及びリードソロモン復号処理等のいわゆる誤り訂正復号処理を施すことによって、中間周波信号ＩＦ１からベースバンド信号を生成し、更に、そのベースバンド信号からトランスポートストリームＴＳを再生して出力する。
【００４７】
ここで、ＯＦＤＭ復調部１ｂが上述の誤り訂正復号処理を行う際、放送局側からベースバンド信号に含めて送られてくる伝送方式やフレーム構成等の伝送制御情報を有するＴＭＣＣ信号（伝送制御信号）をビタビ復号処理によって復号してから解析し、その解析結果に基づいて、受信中のディジタルテレビ放送の上記伝送方式等に適合したデインターリーブとエネルギー逆拡散及びリードソロモン復号等の処理を行うことによって、トランスポートストリームＴＳを生成する。
【００４８】
更に、上述の直交検波によって生成されるベースバンド信号Ｉ，Ｑが受信状態検出部３に供給され、上述の解析されたＴＭＣＣ信号Ｓtmccが制御部５に供給されている。
【００４９】
音声／映像処理部１ｃは、トランスポートストリームＴＳを入力し、トランスポートストリームＴＳを構成している各トランスポートストリームパケット（Transport Stream Packet）ＴＳＰ内の、エレメンタリーストリーム（Elementary Stream）ＥＳ、パケッタイズドエレメンタリストリーム（Packetized Elementary Stream）ＰＥＳ、セクションと呼ばれる制御及びサービス情報のデータ（セクションデータ）ＳＥＣをそれぞれ分離（デマルチプレクス）する。そして、セクションデータＳＥＣを制御部５に供給する。一方、エンコードされている映像データを有するエレメンタリーストリームＥＳとパケッタイズドエレメンタリストリームＰＥＳを所定の映像デコーダ（MPEG-2 Video）でディジタル映像信号ＶＤ１にデコードし、ＯＳＤデータ混合部１２を介して切替え部８に供給する。更に、エンコードされている音声データを有するエレメンタリーストリームＥＳとパケッタイズドエレメンタリストリームＰＥＳを所定の音声デコーダ（MPEG-2 AAC）でデコードし、切替え部８に供給する。
【００５０】
受信状態検出部３は、上述のベースバンド信号Ｉ，Ｑを入力し、キャリア成分とノイズ成分の比を演算することで受信感度を表すＣ／Ｎ値を検出し、その検出信号Ｓcnを制御部５に供給する。
【００５１】
より詳細に述べれば、受信状態検出部３は、ベースバンド信号Ｉ，Ｑのコンスタレーション上でのＩ軸成分の二乗（Ｉ2）とＱ軸成分の二乗（Ｑ2）の和（Ｉ2＋Ｑ2）を演算して、平方根ＳＱＲＴ（Ｉ2＋Ｑ2）を演算することによってシンボル振幅Ｒaを求め、基準の（固定の）シンボル振幅Ｒとシンボル振幅Ｒaとの差分の絶対値│Ｒ−Ｒa│を、ノイズによって生じる振幅のズレ量とする。そして、予め決められた所定時間の間に、上述の絶対値│Ｒ−Ｒa│を複数個（固定数）演算して累積加算することで受信感度を表すＣ／Ｎの値を演算し、そのＣ／Ｎの値を示す検出信号Ｓcnを出力する。
【００５２】
アナログ放送受信部２は、地上放送受信アンテナＡＮＴが接続されるフロントエンド部２ａと、復調部２ｂを有して構成されている。
【００５３】
フロントエンド部２ａは、受信アンテナＡＮＴに生じるＲＦ受信信号と、制御部５からの選局制御信号ＣＨ２に従って内部発生する同調周波数の局発信号とを混合することによる周波数変換処理を行うことによって、中間周波信号（ＩＦ信号）を生成し、更に、その中間周波信号を帯域制限して増幅等の処理を施すことで、希望信号としての中間周波信号ＩＦ２を出力する。
【００５４】
復調部２ｂは、中間周波信号ＩＦ２を映像検波（ＡＭ検波）と音声検波（ＦＭ検波）することでコンポジットビデオ信号と音声ベースバンド信号を生成し、コンポジットビデオ信号に対して輝度及び色信号処理等を施すことで映像信号を再生すると共に、音声ベースバンド信号に対して音声多重復調処理等を施すことで音声信号を再生する。そして、Ａ／Ｄ変換器（図示略）によって映像信号と音声信号をディジタル映像信号Ｖｄとディジタル音声信号Ａｕにアナログディジタル変換し、映像遅延部６と音声遅延部７に供給する。
【００５５】
映像遅延部６は、制御部５からの遅延時間設定信号ＣＤＬＹに従って遅延時間が可変設定されるバッファメモリで形成され、入力されるディジタル映像信号ＶｄをＦＩＦＯ（ファーストインファーストアウト）処理によって遅延時間分遅延させ、ＯＳＤデータ混合部１３を介して、ディジタル映像信号ＶＤ２として切替え部８に供給する。
【００５６】
音声遅延部７は、制御部５からの遅延時間設定信号ＣＤＬＹに従って遅延時間が可変設定されるバッファメモリで形成され、入力されるディジタル音声信号ＡｕをＦＩＦＯ処理によって遅延時間分遅延させて、ディジタル音声信号ＡＵ２として切替え部８に供給する。
【００５７】
受信状態検出部４は、復調部２ｂで映像検波された上述のコンポジットビデオ信号ＶIFに混入しているノイズを検出し、所定のゲート期間（予め決められた単位時間）内に現れるノイズの数を計数することでノイズの発生密度を検出し、その検出した発生密度を映像信号成分に対するノイズ成分との比、すなわちＳ／Ｎ比として、その検出信号Ｓsnを制御部５に供給する。
【００５８】
より詳細に述べれば、受信状態検出部４は、コンポジットビデオ信号ＶIFの垂直ブランキング期間をＰＬＬ回路等（図示略）で同期検出し、検出したブランキング期間内に生じるコンポジット同期信号に混入しているノイズ成分をフィルタによるフィルタリング処理及びコンパレータによる閾値電圧との比較処理を行うことで検出する。そして、所定のゲート時間（単位時間）内に検出されたノイズ成分の数を計数し、計数値（ノイズ成分の発生密度）をＳ／Ｎ比の値として、そのＳ／Ｎ比の値を示す検出信号Ｓsnを出力する。
【００５９】
切替え部８は、制御部５からの切替え制御信号ＣＳＷに従って切替え動作するアナログスイッチ素子で形成されており、ディジタル映像信号ＶＤ１，ＶＤ２の一方を出力映像信号ＶＤoutとしてディスプレイ装置等（図示略）へ出力し、また、ディジタル音声信号ＡＵ１，ＡＵ２の一方を出力音声信号ＡＵoutとしてスピーカシステム等（図示略）へ出力する。
【００６０】
制御部５は、マイクロプロセッサ（ＭＰＵ）やディジタルシグナルプロセッサ（ＤＳＰ）等で形成され、記憶部９と、ユーザー等が選局操作等を行うための操作部１０が接続されている。
【００６１】
そして、制御部５は、選局制御信号ＣＨ１，ＣＨ２によってディジタル放送受信部１とアナログ放送受信部２を選局制御する他、受信状態検出部３，４から供給される検出信号Ｓcn，Ｓsnに基づいてディジタル放送受信部１とアナログ放送受信部２の受信状態の良否を判断し、より良好な受信状態の得られる出力映像信号ＶＤoutと出力音声信号ＡＵoutを出力させるべく、切替え部８を切替え制御する。
【００６２】
更に、制御部５は、ＴＭＣＣ信号Ｓtmccに含まれている伝送方式の情報を用いてディジタル放送受信部１の内部処理時間Ｔ１を判定し、アナログ放送受信部２の内部処理時間Ｔ２との時間差（Ｔ１−Ｔ２）を演算して、遅延時間制御信号ＣＤＬＹによって、映像遅延部６と音声遅延部７の遅延時間をその時間差（Ｔ１−Ｔ２）に設定する。
【００６３】
すなわち、ディジタル信号処理を多用するディジタル放送受信部１がＲＦ受信信号からディジタル映像信号ＶＤ１とディジタル音声信号ＡＵ１を再生するまでに要する内部処理時間Ｔ１と、アナログ放送受信部２がＲＦ受信信号からディジタル映像信号Ｖｄとディジタル音声信号Ａｕを再生するまでに要する内部処理時間Ｔ２とでは、内部処理時間Ｔ１の方が内部処理時間Ｔ２より長くなり、更に、アナログ放送受信部２の内部処理時間Ｔ２はほぼ一定であるが、ディジタル放送受信部１の内部処理時間Ｔ１は、受信中のディジタルテレビ放送の伝送方式の違いに応じて変化する。
【００６４】
そのため、仮に、ディジタル放送受信部１で再生されるディジタル映像信号ＶＤ１及びディジタル音声信号ＡＵ１と、アナログ放送受信部２で再生されるディジタル映像信号Ｖｄ及びディジタル音声信号Ａｕとを、ディスプレイ装置とスピーカシステム等に同時に供給して、サイマル放送によって同じ時間帯に放送される同一番組を表示等させることとすると、ディジタル映像信号ＶＤ１とディジタル音声信号ＡＵ１による映像と音声の方が、ディジタル映像信号Ｖｄとディジタル音声信号Ａｕによる映像と音声より早くディスプレイ装置とスピーカシステム等で再生されるという現象が生じる。
【００６５】
そこで、制御部５は、ＴＭＣＣ信号Ｓtmccに含まれている伝送方式の情報を取得し、伝送方式毎に対応付けて予め記憶している内部処理時間Ｔ１の検索データテーブル（図示略）を検索することで、実際に受信中のディジタルテレビ放送の伝送方式に対応する内部処理時間Ｔ１を判定し、アナログ放送受信部２の一定の内部処理時間Ｔ２との時間差（Ｔ１−Ｔ２）を映像遅延部６と音声遅延部７の遅延時間に設定する。これにより、ディジタル放送受信部１からディジタル映像信号ＶＤ１とディジタル音声信号ＡＵ１が切替え部８に供給されるタイミングと、アナログ放送受信部２から映像遅延部６と音声遅延部７を介してディジタル映像信号ＶＤ２とディジタル音声信号ＡＵ２が切替え部８に供給されるタイミングとを一致させている。
【００６６】
更に、制御部５は、セクションデータＳＥＣから放送局がサービス情報として提供している番組配列情報（ＳＩ）から、サイマル放送を含む地上ディジタル放送網の全放送局で放送される番組と、各番組の開始及び終了時刻と、各放送局の放送チャンネル、サイマル放送の関連付け情報とを互いに関連付けたデータテーブルＴＡＢを作成し、記憶部９に記憶する。
【００６７】
更に、制御部５は、ユーザー等から操作部１０を介して所望のディジタルテレビ放送が選局入力されると、データテーブルＴＡＢを検索して、そのディジタルテレビ放送の放送チャンネルに関連付けられている、同一番組を放送しているサイマル放送のアナログテレビ放送の放送チャンネルをデータテーブルＴＡＢから検索する。そして、選局制御信号ＣＨ１によって、ユーザー等から入力された放送チャンネルをフロントエンド部１ａにて同調受信させ、同時に、選局制御信号ＣＨ２によって、検索した放送チャンネルをフロントエンド部２ａにて同調受信させることで、同じ時間帯に同一番組を放送しているサイマル放送のディジタルテレビ放送とアナログテレビ放送を並列的に受信させる。
【００６８】
更に、制御部５は、ユーザー等から操作部１０を介して所望のアナログテレビ放送が選局入力されると、データテーブルＴＡＢを検索して、そのアナログテレビ放送の放送チャンネルに関連付けられている、同一番組を放送しているサイマル放送のディジタルテレビ放送の放送チャンネルをデータテーブルＴＡＢから検索する。そして、選局制御信号ＣＨ１によって、検索した放送チャンネルをフロントエンド部１ａにて同調受信させ、同時に、選局制御信号ＣＨ２によって、ユーザー等から入力された放送チャンネルをフロントエンド部２ａにて同調受信させることで、同じ時間帯に同一番組を放送しているサイマル放送のディジタルテレビ放送とアナログテレビ放送を並列的に受信させる。
【００６９】
ＯＳＤ部１１は、制御部５を介して供給される番組配列情報（ＳＩ）を記憶し、制御部５からの指令に従ってその番組配列情報（ＳＩ）からビットマップ形式の電子番組案内（ＥＰＧ：Electric Program Guide）データＤａを作成して、ＯＳＤデータ混合部１２に供給することにより、ユーザー等に放送番組の予定表をディスプレイ表示させるためのディジタル映像信号ＶＤ１を切替え部８へ出力させる。
【００７０】
また、ＯＳＤ部１１は、受信状態が悪化した結果、切替え部８がディジタル放送受信部１側からアナログ放送受信部２側に切替えられると、制御部５からの指示に従って、ビットマップ形式の警報データＤｂをＯＳＤデータ混合部１３に供給することにより、映像遅延部６から出力されるディジタル映像信号ＶＤ２に当該警報データＤｂを混合させ、アナログテレビ放送の映像に警報表示を重ねて表示させるためのディジタル映像信号ＶＤ２を生成させて切替え部８側へ出力させる。
【００７１】
次に、かかる構成を有する受信機の動作について、図３のフローチャートを参照して説明する。なお、ユーザー等がサイマル放送であるディジタルテレビ放送又はアナログテレビ放送を選局した場合の動作について説明する。
【００７２】
この受信機は、電源投入されると、ディジタル放送受信部１とアナログ放送受信部２が共に受信動作を行う。そして、図３のステップＳ１００において、ユーザー等から操作部１０を介して所望の放送チャンネルが選局入力されると、ステップＳ１０１に移行して、制御部５がディジタルテレビ放送とアナログテレビ放送のいずれの放送チャンネルが選局入力されたか判断し、ディジタルテレビ放送の放送チャンネル（以下、「ＤＣＨ１」とする）であればステップＳ１０２、アナログテレビ放送の放送チャンネル（以下、「ＡＣＨ２」とする）であれば、後述のステップＳ１０８へ移行する。
【００７３】
ステップＳ１０２では、制御部５がディジタル放送の出力開始の制御を行う。すなわち、制御部５は、記憶部９に既に記憶されているデータテーブルＴＡＢ（チャンネル切替えの操作がなされる以前に制御部５がディジタルテレビ放送を受信中に作成又は更新した最新のデータテーブルＴＡＢ）を検索し、入力されたディジタルテレビ放送の放送チャンネルＤＣＨ１に関連付けられているサイマル放送のアナログテレビ放送の放送チャンネルＡＣＨ２の情報を取得する。そして、選局制御信号ＣＨ１によってディジタル放送受信部１内のフロントエンド部１ａを選局制御することにより、放送チャンネルＤＣＨ１のディジタルテレビ放送を同調受信させ、更に、選局制御信号ＣＨ２によってアナログ放送受信部２内のフロントエンド部２ａを選局制御することにより、放送チャンネルＡＣＨ２のアナログテレビ放送を同調受信させる。これにより、同じ時間帯に放送されている同一番組のサイマル放送（ディジタルテレビ放送とアナログテレビ放送）をディジタル放送受信部１とアナログ放送受信部２で受信させる。
【００７４】
更に、制御部５は、切替え制御信号ＣＳＷによって切替え部８をディジタル放送受信部１側へ切替えさせることで、ディジタル放送受信部１側で再生されるディジタル映像信号ＶＤ１とディジタル音声信号ＡＵ１を、出力映像信号ＶＤoutと出力音声信号ＡＵoutとして出力させる。これにより、ディジタルテレビ放送の出力開始となり、ユーザー等は選局入力した所望のディジタルテレビ放送を視聴等することが可能となる。
【００７５】
更に、制御部５は、セクションデータＳＥＣに含めて番組配列情報（ＳＩ）が送られてくると、新たなデータテーブルＴＡＢを作成して更新する処理を行うと共に、受信状態検出部３，４の検出信号Ｓcn，Ｓcnと、ＴＭＣＣ信号Ｓtmccを継続的に入力することとなる。
【００７６】
上述のステップＳ１０２においてディジタルテレビ放送の出力を開始すると、次に、ステップＳ１０３において、制御部５が検出信号Ｓcnの値と閾値ＴＨＤcrfとの比較によって、ディジタル放送受信部１側の受信状態の良否を判断する。そして、検出信号Ｓcnの値が閾値ＴＨＤcrfより大きい場合には、受信状態が良好であると判断（「Ｙｅｓ」と判断）して、受信中のディジタルテレビ放送の出力を継続し、一方、検出信号Ｓcnの値が閾値ＴＨＤcrfより小さい場合には、受信状態が悪化したと判断（「Ｎｏ」と判断）して、ステップＳ１０４へ移行する。
【００７７】
すなわち、図２（ｂ）の特性図にて模式的に示すように、ディジタルテレビ放送（ＤＴＶ）の到来電波が所定の電界強度Ｅcrfより強く、それによってＣ／Ｎの値も大きいときには、スピーカシステムやディスプレイ装置で再生される音声と映像は、アナログテレビ放送（ＡＴＶ）を受信する場合よりも高品質となるが、上述の電界強度が強度Ｅcrfより弱くなり、Ｃ／Ｎの値も小さくなるときには、アナログテレビ放送（ＡＴＶ）を受信する場合に較べて、急激に品質が低下する。かかる現象は崖効果（Criff  Effect）と呼ばれている。
【００７８】
そこで、制御部１７は、検出信号Ｓcnの値が電界強度Ｅcrfに相当する予め記憶している閾値ＴＨＤcrfより大きいときには、受信状態が良好であると判断して受信中のディジタルテレビ放送の出力を継続し、一方、検出信号Ｓcnの検出値が閾値ＴＨＤcrfより小さい場合には受信状態が悪化したと判断して、ステップＳ１０４へ移行する。
【００７９】
ステップＳ１０４では、制御部５が、検出信号Ｓsnを予め記憶している閾値ＴＨＤsnと比較し、検出信号Ｓsnの値が閾値ＴＨＤsnより大きい場合には、アナログテレビ放送よりもディジタルテレビ放送を出力する方が良好な映像と音声を再生することができると判断（「Ｎｏ」と判断）して、受信中のディジタルテレビ放送の出力を継続すべくステップＳ１０４の処理を繰り返す。一方、検出信号Ｓsnの値が閾値ＴＨＤsnより小さい場合には、アナログテレビ放送を受信する方が良好な映像と音声を再生することができると判断（「Ｙｅｓ」と判断）して、ステップＳ１０５に移行する。
【００８０】
すなわち、一般的には、上述の崖効果よってディジタルテレビ放送の受信感度が悪化した場合には、アナログテレビ放送に切替えた方が良好な映像と音声を再生することができるが、アナログテレビ放送の伝送帯域に大電力のノイズが混入等した場合には、アナログテレビ放送では良好な映像と音声を再生することができなくなる場合がある。
【００８１】
そこで、制御部５は、アナログテレビ放送の伝送帯域に大電力のノイズが混入等した場合を想定して決められている閾値ＴＨＤsnと、実際に検出された検出信号Ｓsnの値を比較し、検出信号Ｓsnの値が閾値ＴＨＤsnより大きい場合には、ステップＳ１０４からの処理に移行して、受信中のディジタルテレビ放送を継続して出力させ、一方、検出信号Ｓsnの値が閾値ＴＨＤsnより小さい場合にステップＳ１０５に移行して、アナログテレビ放送の出力に切替えるための処理を行う。
【００８２】
ステップＳ１０５では、制御部５が、ディジタルテレビ放送の受信状態が悪化する直前に入力しておいたＴＭＣＣ信号Ｓtmcc内の伝送方式の情報に基づいて、ディジタル放送受信部１の内部処理時間Ｔ１を判定し、更にアナログ放送受信部２の内部処理時間Ｔ２との時間差（Ｔ１−Ｔ２）を演算して、遅延時間設定信号ＣＤＬＹによって映像遅延部６と映像遅延部９の遅延時間をその時間差（Ｔ１−Ｔ２）に設定する。更に、切替え制御信号ＣＳＷによって切替え部８をアナログ放送受信部２側へ切替えさせることで、映像遅延部６と音声遅延部７によって遅延されるディジタル映像信号ＶＤ２とディジタル音声信号ＡＵ２を出力映像信号ＶＤoutと出力音声信号ＡＵoutとして出力させる。
【００８３】
更に、制御部５は、受信状態が悪化した結果、アナログテレビ放送の出力に切替えると、ＯＳＤ部１１からＯＳＤデータ混合部１３に警報データＤｂを供給させる。このため、警報データＤｂが混合されたディジタル映像信号ＶＤ２が切替え部８を介して出力映像信号ＶＤoutとして出力される。例えば、『受信状態が悪化しているので、アナログ放送を受信中です』等の警報表示をアナログテレビ放送の映像内の一部領域にスーパーインポーズ表示させるための警報データＤｂをＯＳＤ部１１からＯＳＤデータ混合部１３へ供給させている。これにより、ユーザー等は、受信状態が悪化した結果、アナログテレビ放送の映像がディスプレイ装置に表示されたことを知ることができる。
【００８４】
更に、映像遅延部６と音声遅延部７に上述の時間差（Ｔ１−Ｔ２）に相当する遅延時間が設定されるため、切替え部８が切替え動作する際、ディジタル映像信号ＶＤ１がＶＤ２へ切れ目無く切り替わると共に、ディジタル音声信号ＡＵ１もＡＵ２へ切れ目無く切り替わり、ディスプレイ装置等に表示される映像とスピーカシステム等で再生される音声が不連続となる等の問題を未然に防止することができる。
【００８５】
このように受信状態の悪化に伴ってアナログテレビ放送の出力に切替えた後、次に、ステップＳ１０６において、制御部５が、検出信号Ｓcnに基づいてディジタルテレビ放送の受信状態を監視する。すなわち、検出信号Ｓcnの値と閾値ＴＨＤcrfとを比較し、検出信号Ｓcnの値が閾値ＴＨＤcrfより大きい場合には、受信状態を良好である判断（「Ｙｅｓ」と判断）してステップＳ１０７へ移行し、一方、検出信号Ｓcnの値が閾値ＴＨＤcrfより小さい場合には、ディジタルテレビ放送の受信状態を良好ではないと判断（「Ｎｏ」と判断）して、ステップＳ１０６の処理を繰り返すことでアナログテレビ放送の出力を継続する。
【００８６】
次に、ステップＳ１０７では、制御部５が、上述のディジタルテレビ放送の受信状態が良好な状態となったとの判断結果に従って、切替え制御信号ＣＳＷによって切替え部８をディジタル受信部１側へ切替えさせる。これにより、ディジタル受信部１側で再生されるディジタル映像信号ＶＤ１とディジタル音声信号ＡＵ１が、出力映像信号ＶＤoutと出力音声信号ＡＵoutとして出力される。
【００８７】
更に、制御部５がＯＳＤ部１１に指令して、所定のＯＳＤデータＤａをＯＳＤデータ混合部１２へ供給させることにより、アナログテレビ放送からディジタルテレビ放送の出力へと切り替わった旨のＯＳＤ表示を行わせる。例えば、『良好な受信状態でディジタルテレビ放送を御覧になれます』等のＯＳＤ表示をディジタルテレビ放送の映像内の一部領域にスーパーインポーズ表示させるためのＯＳＤデータＤａをＯＳＤ部１１からＯＳＤデータ混合部１３へ、所定時間（数秒）の間供給させている。これにより、ユーザー等は、良好な受信状態に戻ったことを知ることができる。
【００８８】
そして、ステップＳ１０７の処理に引き続いて、ステップＳ１０３からの処理を繰り返すことで、より良好な受信状態の下でユーザー等が視聴等できるように処理が行われる。
【００８９】
次に、上述したユーザー等がアナログテレビ放送の放送チャンネルを選局入力し、ステップＳ１０１からステップＳ１０８に移行した場合の動作について説明する。
【００９０】
ステップＳ１０８では、制御部５が、アナログテレビ放送の出力開始の制御を行う。すなわち、制御部５は、記憶部９に既に記憶されている上述のデータテーブルＴＡＢ（チャンネル切替えの操作がなされる以前に制御部５がディジタルテレビ放送を受信中に作成又は更新した最新のデータテーブルＴＡＢ）を検索し、選局入力されたアナログテレビ放送の放送チャンネルＡＣＨ２に関連付けられているサイマル放送のディジタルテレビ放送の放送チャンネルＤＣＨ１の情報を取得する。そして、選局制御信号ＣＨ１によってディジタル放送受信部１内のフロントエンド部１ａを選局制御することにより、放送チャンネルＤＣＨ１のディジタルテレビ放送を同調受信させ、更に、選局制御信号ＣＨ２によってアナログ放送受信部２内のフロントエンド部２ａを選局制御することにより、放送チャンネルＡＣＨ２のアナログテレビ放送を同調受信させる。これにより、同じ時間帯に放送されている同一番組のサイマル放送（ディジタルテレビ放送とアナログテレビ放送）をディジタル放送受信部１とアナログ放送受信部２で受信させる。
【００９１】
更に、制御部５は、切替え制御信号ＣＳＷによって切替え部８をアナログ放送受信部２側へ切替えさせることで、アナログ放送受信部２側で再生されるディジタル映像信号ＶＤ２とディジタル音声信号ＡＵ２を、出力映像信号ＶＤoutと出力音声信号ＡＵoutとして出力させる。これにより、アナログテレビ放送の出力開始となり、ユーザー等は選局入力した所望のアナログテレビ放送を視聴等することが可能となる。更に、ユーザー等が自らアナログテレビ放送を選局入力した場合は、受信状態が悪化した結果アナログテレビ放送への切替えを行うのではないため、制御部５は、ＯＳＤ部１１からＯＳＤデータ混合部１３に警報データＤｂを供給させない。このため、後述する『自動切替えモード』をユーザー等が指定していない場合には、警報表示のないアナログテレビ放送の映像を視聴等することができる。
【００９２】
更に、ユーザー等からアナログテレビ放送が選局された場合にも、ディジタル放送受信部１が受信動作をすることから、制御部５は、セクションデータＳＥＣに含めて番組配列情報（ＳＩ）が送られてくると、新たなデータテーブルＴＡＢを作成して更新する処理を行うと共に、受信状態検出部３，４の検出信号Ｓcn，Ｓcnと、ＴＭＣＣ信号Ｓtmccを継続的に入力することとなる。
【００９３】
次に、ステップＳ１０９において、制御部５が、ユーザー等から操作部１０を介して『自動切替えモード』の指定がなされているか判断し、指定されていない場合には、『マニュアルモード』であると判断（「Ｎｏ」と判断）して、受信状態の良否にかかわらずアナログテレビ放送の出力を継続させる。一方、『自動切替えモード』の指定がなされていると判断（「Ｙｅｓ」と判断）すると、ステップＳ１０６に移行して、上述した受信状態の良否に応じてアナログテレビ放送とディジタルテレビ放送との出力を自動的に切替える処理を行う。
【００９４】
そして、以上に説明したステップＳ１００〜Ｓ１０９の処理中に、ユーザー等から新たな放送チャンネルが入力操作されると、制御部５はステップＳ１００からの処理を新規に開始することで、新たな放送チャンネルに対しても、受信状態の良否に応じて自動的により良好な品質の得られるディジタルテレビ放送又はアナログテレビ放送に切替える処理を行う。
【００９５】
以上説明したように、本実施例の受信機によれば、サイマル放送のディジタルテレビ放送を受信中に、受信状況が悪化すると、同じ時間帯に放送されている同一番組のアナログテレビ放送に自動的に切替えるので、ユーザー等に対して同一番組を継続して視聴等させることができ、且つ良好な操作性を提供することができる。
【００９６】
更に、受信状態の悪化に伴ってアナログテレビ放送の出力に切替えた後、ディジタルテレビ放送の受信状態が良好になると、そのディジタルテレビ放送の出力に自動的に切替えるので、より品質の良好な映像や音声を提供することができ、且つ良好な操作性を提供することができる。
【００９７】
更に、サイマル放送のディジタルテレビ放送を受信中に、受信状況が悪化して、同一番組のアナログテレビ放送の出力に切替える際、そのディジタルテレビ放送の伝送方式に応じたディジタル放送受信部１の内部処理時間Ｔ１とアナログテレビ放送受信部２の内部処理時間Ｔ２との時間差（Ｔ１−Ｔ２）に基づいて、映像遅延部６と音声遅延部７の遅延時間を可変設定するので、同一番組を切れ目のない連続した映像及び音声として再生させることができ、ユーザー等に違和感を与えることない等の効果が得られる。
【００９８】
更に、サイマル放送のディジタルテレビ放送を受信中に、受信状態の悪化に伴って同一番組のアナログテレビ放送の出力に切替えると、警報表示を行うので、アナログテレビ放送による映像と音声の品質が低下した原因等をユーザー等に提示することができる。
【００９９】
また、サイマル放送のアナログテレビ放送を受信中に、受信状態の改善に伴って同一番組のディジタルテレビ放送の出力に切替えると、ＯＳＤ表示を行うので、より品質の良好な映像や音声に戻ったことをユーザー等に提示することができる。
【０１００】
なお、以上に説明した実施例の受信機では、図３中のステップＳ１０５において、アナログテレビ放送の出力に切替えると、映像遅延部６と音声遅延部７を介して生じるディジタル映像信号ＶＤ２とディジタル音声信号ＡＵ２との両者を切替え部８を介して出力映像信号ＶＤoutと出力音声信号ＡＵoutとして出力しているが、ディジタル音声信号ＡＵ２だけを出力させてもよい。かかる変形例の場合に、アナログ放送受信機２によって再生されるディジタル映像信号に警報データＤｂを混合させるのではなく、警報データＤｂのみをディジタル映像信号ＶＤ２として出力することにより、ディジタル音声信号ＡＵ２による音声再生をスピーカシステム等で再生させながら、ディスプレイ装置等に警告表示を行わせる。
【０１０１】
かかる変形例によれば、ディジタルテレビ放送の映像よりも画質が低下するアナログテレビ放送の映像をディスプレイ装置等で再生表示させず、ＦＭ波で伝送されてくる音声のみを比較的良好な品質で提供することができ、ユーザー等に対して違和感を与えない等の効果が得られる。
【０１０２】
また、以上に説明した実施例では、図３中のステップＳ１０４において、Ｓ／Ｎ比に関する検出信号Ｓsnの値を１つの閾値ＴＨＤsnと比較することで、ディジタルテレビ放送からアナログテレビ放送へ切替えるか否かの判断を行っているが、かかる判断を複数の異なる値の閾値との比較によって行って、より細かに切替えを行うようにしてもよい。すなわち、他の変形例として、ステップＳ１２０３でディジタルテレビ放送の受信状態が悪化したと判断して、ステップＳ１０４に移行すると、ステップＳ１０４では、実際の検出で得られる検出信号Ｓsnの値と上述の閾値ＴＨＤsnとの比較を行ってアナログテレビ放送の受信状態の良否を判断する。そして、アナログテレビ放送の受信状態が悪化していると判断すると、予め決められている更に条件の厳しい第２の閾値ＴＨＤfmと検出信号Ｓsnの値と比較し、第２の閾値ＴＨＤfmより検出信号Ｓsnの値が大きい場合には、ステップＳ１０５においてアナログテレビ放送のディジタル映像信号ＶＤ２を出力させずに、ＦＭ波で伝送されてくる音声のディジタル音声信号ＡＵ２だけを切替え部８を介して出力させる。一方、第２の閾値ＴＨＤfmと検出信号Ｓsnの値と比較した結果、第２の閾値ＴＨＤfmより検出信号Ｓsnの値が小さい場合には、ステップＳ１０５においてアナログテレビ放送のディジタル映像信号ＶＤ２とディジタル音声信号ＡＵ２との両者を切替え部８を介して出力させる。
【０１０３】
このように、ディジタルテレビ放送の受信状態が悪化して、アナログテレビ放送の出力に切替える際に、複数の閾値ＴＨＤsn，ＴＨＤfm等と検出信号Ｓsnの値を比較して、映像と音声の提供、又は、音声のみの提供に切替えることで、ユーザー等に対して、より良好な品質の得られる映像や音声を提供することができる。
【０１０４】
また、以上の実施例の説明では、ディジタルテレビ放送とアナログテレビ放送をディジタル放送受信部１とアナログ放送受信部２で並列的に受信することとしているが、ディジタル放送受信部１の再生出力を切替え部８を介して出力する間は、アナログ放送受信部２の給電を遮断し、また、アナログ放送受信部２の再生出力を切替え部８を介して出力する間は、ディジタル放送受信部１の給電を遮断するようにしてもよい。そして、図３のステップＳ１０３，Ｓ１０４，Ｓ１０６において受信状態を判断するときには、ディジタル放送受信部１及び又はアナログ放送受信部２に給電を行うことで、受信状態の検出を行うことができる。
【０１０５】
かかる構成によれば、消費電力の低減等を実現することができ、特に携帯型の受信機に適用すると優れた効果を発揮する。
【０１０６】
また、以上の実施例の説明では、図３のステップＳ１０２，Ｓ１０８に示しように、ディジタルテレビ放送の放送チャンネルが選局入力された場合には、データテーブルＴＡＢを検索して、同一番組を放送しているアナログテレビ放送放送チャンネルを自動検索し、また、アナログテレビ放送の放送チャンネルが選局入力された場合には、データテーブルＴＡＢを検索して、同一番組を放送しているディジタルテレビ放送放送チャンネルを自動検索して、ディジタル放送受信部１とアナログ放送受信部２にサイマル放送を受信すべく選局制御することとしているが、ステップＳ１００において、制御部５がＯＳＤ部１１に指令して、電子番組案内（ＥＰＧ）をディスプレイ装置等に表示させ、その表示に従ってユーザー等から操作部１０を介して所望のサイマル放送のディジタルテレビ放送チャンネルとアナログテレビ放送チャンネルが選局入力されると、それらの放送チャンネルに従って、制御部５がディジタル放送受信部１とアナログ放送受信部２を同調制御し、優先的にディジタル放送受信部１で再生されるディジタル映像信号ＶＤ１とディジタル音声信号ＡＵ１を出力信号ＶＤoutと出力映像信号ＡＵoutとして出力させるべく切替え部８を切り替えさせて、ステップＳ１０３の処理から受信を開始するようにしてもよい。かかる構成によれば、ステップＳ１０１，Ｓ１０２，Ｓ１０８，Ｓ１０９を省略し、処理の簡素化を図ることができる。
【図面の簡単な説明】
【０１０７】
【図１】本発明の実施形態に係る受信機の構成を表したブロック図である。
【図２】実施例の受信機の構成を表したブロック図である。
【図３】図２に示す受信機の動作を説明するためのフローチャートである。
【符号の説明】
【０１０８】
１…ディジタル放送受信部
２…アナログ放送受信部
３，４…受信状況検出部
５…制御部
６…映像遅延部
７…音声遅延部
８…切替え部
【図１】
2006270825.tif 000003
【図２】
2006270825.tif 000004
【図３】
2006270825.tif 000005